(57)【要約】【課題】簡単に、適正な周波数特性を設定、反映できるイコライザ装置を提供する。【解決手段】軌跡検出部２１は、検出領域に対する操作の軌跡を検出する。軌跡取得部３１は、軌跡検出部２１が検出した軌跡を取得する。基準ゲイン決定部３２は、軌跡取得部３１が取得した軌跡に基づいて、軌跡取得部３１が取得した軌跡における基準ゲインを決定する。イコライザ設定決定部３３は、基準ゲインＳと軌跡取得部３１が取得した軌跡とに基づいて、イコライザ処理における各周波数帯域におけるゲインとなるイコライザ設定を決定する。ゲイン処理部４１は、基準ゲインに応じて、ゲインを変更する。イコライザ処理部４２は、イコライザ設定に応じて、入力信号の所定の周波数帯域のゲインを変更する。【選択図】図１
2014057220.tif 000002
【特許請求の範囲】
【請求項１】
入力信号を入力する信号入力部と、
検出領域に対する操作の軌跡を検出する軌跡検出部と、
前記軌跡検出部が検出した軌跡を取得する軌跡取得部と、
前記軌跡取得部が取得した軌跡に基づいて、前記軌跡取得部が取得した軌跡における基準ゲインを決定する基準ゲイン決定部と、
前記基準ゲイン決定部が決定した基準ゲインと前記軌跡取得部が取得した軌跡とに基づいて、イコライザ処理における各周波数帯域におけるゲインであるイコライザ設定を決定するイコライザ設定決定部と、
前記基準ゲイン決定部が決定した基準ゲインに応じて、入力信号全体を一様に増幅又は減衰するゲイン処理部と、
前記イコライザ設定決定部が決定したイコライザ設定に応じて、複数の所定の周波数帯域毎に入力信号を増幅又は減衰するイコライザ処理部と
を備えることを特徴とするイコライザ装置。
【請求項２】
前記基準ゲイン決定部は、前記軌跡取得部が取得した軌跡の縦軸方向の平均値を、前記基準ゲインとして算出することを特徴とする請求項１に記載のイコライザ装置。
【請求項３】
前記軌跡取得部は、前記軌跡検出部が不連続な軌跡を検出した場合において、前記軌跡検出部が検出した軌跡に基づいて、連続的な軌跡を算出し、前記連続的な軌跡を、前記軌跡検出部が検出した軌跡として取得することを特徴とする請求項１又は２に記載のイコライザ装置。
【請求項４】
入力信号を入力する信号入力ステップと、
検出領域に対する操作の軌跡を検出する軌跡検出ステップと、
前記軌跡検出ステップにおいて検出された軌跡を取得する軌跡取得ステップと、
前記軌跡取得ステップにおいて取得された軌跡に基づいて、前記軌跡取得ステップにおいて取得された軌跡における基準ゲインを決定する基準ゲイン決定ステップと、
前記基準ゲイン決定ステップにおいて決定された基準ゲインと前記軌跡取得ステップにおいて取得された軌跡とに基づいて、イコライザ処理における各周波数帯域におけるゲインであるイコライザ設定を決定するイコライザ設定決定ステップと、
前記基準ゲイン決定ステップにおいて決定された基準ゲインに応じて、入力信号全体を一様に増幅又は減衰するゲイン処理ステップと、
前記イコライザ設定決定ステップにおいて決定されたイコライザ設定に応じて、複数の所定の周波数帯域毎に入力信号を増幅又は減衰するイコライザ処理ステップと
を含むことを特徴とするイコライザ装置の調整方法。
【発明の詳細な説明】
【技術分野】
【０００１】
本発明は、ユーザの操作軌跡を用いて設定を変更するイコライザ装置及びイコライザ装置の調整方法に関する。
【背景技術】
【０００２】
従来、イコライザ装置の設定を調整する場面において、例えば、十字キーでバンド（周波数帯域）切り替え及びゲイン変更が行われていた。ユーザインタフェースがタッチパネルの場合、例えば、周波数軸に沿う方向に、周波数に応じたゲインのカーブをなぞり、なぞった軌跡をゲインとして設定するイコライザ装置が提案されている（特許文献１参照）。
【先行技術文献】
【特許文献】
【０００３】
【特許文献１】特開２００４−６２５０３号公報
【発明の概要】
【発明が解決しようとする課題】
【０００４】
特許文献１に記載の技術は、軌跡の始点、終点、極大値及び極小値の、周波数及び信号ゲインをイコライザ設定とするものである。イコライザ設定は、所定の周波数帯域毎にゲインが設定されることにより、入力信号に反映されるため、周波数帯域間において干渉が生じてブーストし、出力信号の特性は、所望のカーブと大きく異なるものとなる恐れがある。イコライザ設定の反映方法として、更にＱ値を設定する方法があるが、出力信号の特性を所望のカーブに近づけることは、非常に煩雑であり困難である。
【０００５】
本発明は、上記問題点を鑑み、簡単に、適正な特性を設定、反映できるイコライザ装置及びイコライザ装置の調整方法を提供することを目的とする。
【課題を解決するための手段】
【０００６】
上記目的を達成するために、本発明の第１の態様は、入力信号を入力する信号入力部（１）と、検出領域に対する操作の軌跡を検出する軌跡検出部（２１）と、前記軌跡検出部（２１）が検出した軌跡を取得する軌跡取得部（３１）と、前記軌跡取得部（３１）が取得した軌跡に基づいて、前記軌跡取得部（３１）が取得した軌跡における基準ゲインを決定する基準ゲイン決定部（３２）と、前記基準ゲイン決定部（３２）が決定した基準ゲインと前記軌跡取得部（３１）が取得した軌跡とに基づいて、イコライザ処理における各周波数帯域におけるゲインであるイコライザ設定を決定するイコライザ設定決定部（３３）と、前記基準ゲイン決定部（３２）が決定した基準ゲインに応じて、入力信号全体を一様に増幅又は減衰するゲイン処理部（４１）と、前記イコライザ設定決定部（３３）が決定したイコライザ設定に応じて、複数の所定の周波数帯域毎に入力信号を増幅又は減衰するイコライザ処理部（４２）とを備えるイコライザ装置であることを要旨とする。
【０００７】
また、本発明の第１の態様に係るイコライザ装置においては、前記基準ゲイン決定部（３２）は、前記軌跡取得部が取得した軌跡の縦軸方向の平均値を、前記基準ゲインとして算出することができる。
【０００８】
また、本発明の第１の態様に係るイコライザ装置においては、前記軌跡取得部（３１）は、前記軌跡検出部（２１）が不連続な軌跡を検出した場合において、前記軌跡検出部（２１）が検出した軌跡に基づいて、連続的な軌跡を算出し、前記連続的な軌跡を、前記軌跡検出部が検出した軌跡として取得することができる。
【０００９】
本発明の第２の態様は、入力信号を入力する信号入力ステップと、検出領域に対する操作の軌跡を検出する軌跡検出ステップと、前記軌跡検出ステップにおいて検出された軌跡を取得する軌跡取得ステップと、前記軌跡取得ステップにおいて取得された軌跡に基づいて、前記軌跡取得ステップにおいて取得された軌跡における基準ゲインを決定する基準ゲイン決定ステップと、前記基準ゲイン決定ステップにおいて決定された基準ゲインと前記軌跡取得ステップにおいて取得された軌跡とに基づいて、イコライザ処理における各周波数帯域におけるゲインであるイコライザ設定を決定するイコライザ設定決定ステップと、前記基準ゲイン決定ステップにおいて決定された基準ゲインに応じて、入力信号全体を一様に増幅又は減衰するゲイン処理ステップと、前記イコライザ設定決定ステップにおいて決定されたイコライザ設定に応じて、複数の所定の周波数帯域毎に入力信号を増幅又は減衰するイコライザ処理ステップとを含むイコライザ調整方法であることを要旨とする。
【発明の効果】
【００１０】
本発明によれば、簡単に、適正な特性を設定、反映できるイコライザ装置及びイコライザ装置の調整方法を提供することができる。
【図面の簡単な説明】
【００１１】
【図１】本発明の実施形態に係るイコライザ装置の基本的な構成を説明する模式的なブロック図である。
【図２】本発明の実施形態に係るイコライザ装置の調整方法を説明する図である。
【図３】本発明の実施形態に係るイコライザ装置の出力信号の周波数特性を説明する図である。
【図４】一般的なイコライザ装置の調整方法を説明する図である。
【図５】一般的なイコライザ装置の出力信号の周波数特性を説明する図である。
【発明を実施するための形態】
【００１２】
次に、図面を参照して、本発明の実施形態を説明する。以下の図面の記載において、同一又は類似の部分には同一又は類似の符号を付している。但し、以下に示す実施形態は、本発明の技術的思想を具体化するための装置、この装置に用いられるプログラムや方法を例示するものであって、本発明の技術的思想は、下記の実施形態に例示した装置、装置に用いられるプログラムや方法に特定するものでない。本発明の技術的思想は、特許請求の範囲に記載された技術的範囲内において、種々の変更を加えることができる。
【００１３】
（イコライザ装置）
本発明の実施形態に係るイコライザ装置は、図１に示すように、信号入力部１と、ユーザインタフェース部２と、制御部３と、信号処理部４と、ＤＡコンバータ部５と、アンプ部６と、出力部７とを備える。信号入力部１は、例えば、デジタル音声信号を入力信号として入力する。まず、イコライザ装置の各部の動作の概要について説明する。
【００１４】
ユーザインタフェース部２は、ユーザの操作入力が入力される検出領域を有する軌跡検出部２１と、文字、画像等を表示する表示部２２とを備える。ユーザインタフェース部２は、軌跡検出部２１と、表示部２２とが一体形成された例として、表示装置とタッチパネルとから構成されることができる。軌跡検出部２１は、ユーザによる、検出領域に対する操作を検知し、操作の軌跡を検出する。軌跡検出部２１は、マウス、タッチパッド、ライトペン等のポインティングデバイスから構成されてもよい。表示部２２は、例えば、液晶表示装置等の表示装置から構成される。
【００１５】
制御部３は、軌跡取得部３１と、基準ゲイン決定部３２と、イコライザ設定決定部３３と、表示処理部３４とを備える。制御部３は、ユーザインタフェース部２、信号処理部４の駆動を制御する。軌跡取得部３１は、ユーザインタフェース部２の軌跡検出部２１が検出した軌跡を取得する。基準ゲイン決定部３２は、軌跡取得部３１が取得した軌跡に基づいて、軌跡取得部３１が取得した軌跡における基準ゲインＳを算出する。
【００１６】
基準ゲイン決定部３２は、例えば、軌跡取得部３１が取得した軌跡の縦軸方向の平均値を基準ゲインＳとして算出する。基準ゲイン決定部３２は、その他、取得した軌跡の縦軸方向の分散や標準偏差等に基づく中央値等を基準ゲインＳとして算出するようにしてもよい。
【００１７】
イコライザ設定決定部３３は、基準ゲイン決定部３２が算出した基準ゲインＳと、軌跡検出部２１が検出した軌跡とに基づいて、信号入力部１が入力する入力信号における各周波数帯域のゲインとなるイコライザ設定を決定する。
【００１８】
なお、本実施形態において、イコライザ処理部４２は、複数の異なる周波数それぞれを中心周波数とする複数のピーキングフィルタを用いたイコライザ処理を行う。本実施形態においては、一例として１３個のピーキングフィルタを用いたイコライザ処理を行う。よって、イコライザ設定決定部３３は、イコライザ処理部４２の各ピーキングフィルタにおける各中心周波数のゲインであるイコライザ設定を決定することとなる。本実施形態において、各ピーキングフィルタはデジタル処理によって実現されるが、アナログ処理によって実現することも可能である。
【００１９】
表示処理部３４は、ユーザインタフェース部２の表示部２２に文字、画像等を表示するよう処理する。表示処理部３４は、例えば、表示部２２に、横軸に周波数を示す目盛りと、縦軸にゲインを示す目盛りとを表示することにより、軌跡検出部２１の検出領域をユーザに提示する。これにより、検出領域の各入力位置（座標）と周波数との対応や、検出領域の各入力位置とゲインとの対応をユーザに提示することができる。なお、目盛りは仮名寿司も表示されなくてもよい。表示処理部３４は、軌跡検出部２１が検出する操作の軌跡を表示したり、入力信号、出力信号の周波数特性を表示したりするようにしてもよい。
【００２０】
信号処理部４は、ゲイン処理部４１と、イコライザ処理部４２とを備える。信号処理部４は、デジタルシグナルプロセッサ（ＤＳＰ）等から構成される。信号処理部４は、その他、アナログボリュームと電子ボリュームとから構成されてもよい。
【００２１】
ゲイン処理部４１は、基準ゲイン決定部３２が決定した基準ゲインに応じて、信号入力部１が入力した入力信号全体を一様に増幅又は減衰する。イコライザ処理部４２は、イコライザ設定決定部３３が決定したイコライザ設定に応じて、信号入力部１が入力した入力信号に対してイコライザ処理を行う。つまり、イコライザ処理部４２は、複数の異なる周波数それぞれを中心周波数とする複数のピーキングフィルタを用いたイコライザ処理を行う。
【００２２】
信号処理部４は、ゲイン処理部４１及びイコライザ処理部４２によって、入力信号を増幅又は減衰し、その増幅又は減衰した後の信号であるデジタル音声信号を、ＤＡコンバータ部５に出力する。ＤＡコンバータ部５は、信号処理部４によって増幅又は減衰されたデジタル音声信号をアナログ音声信号に変換し、アンプ部６に出力する。アンプ部６は、ＤＡコンバータ部５から入力したアナログ音声信号を増幅し、出力部７に出力する。出力部７は、スピーカ等の出力装置から構成されてもよく、アナログ音声信号を出力する出力端子から構成されてもよい。
なお、出力先の装置がデジタル信号を受信できる装置であれば、信号処理部４が出力するデジタル信号を、直接外部に出力するようにしてもよい。
【００２３】
（調整方法）
図２〜図５は軌跡検出部２１の検出領域を示した図である。なお、図２〜図５には、適宜、説明のための線なども記している。
例えば、図２に示すように、ユーザが、タッチパネルからなるユーザインタフェース部２の検出領域内を指でなぞることにより、軌跡検出部２１は、なぞられた軌跡Ｔ（一点鎖線）を検出する。軌跡検出部２１は、例えば、なぞられた検出領域の座標（ｘ，ｙ）を１００ｍｓ毎にサンプリングし、サンプリングされた座標を時系列に結ぶことにより軌跡Ｔを検出する。軌跡取得部３１は、軌跡検出部２１が検出した軌跡Ｔを取得する。
【００２４】
なお、Ｘ座標は周波数に対応しており、Ｙ座標はゲインに対応している。よって、座標を検出することにより、各周波数におけるゲインを検出することができる。例えば、軌跡検出部２１の検出領域の縦軸方向における最大値及び最小値を、それぞれ、ゲインの最大増値及び最小値として、各Ｙ座標におけるゲインを設定すればよい。また、例えば、軌跡検出部２１の検出領域の横軸方向における最大値及び最小値を、それぞれ、最大周波数及び最小周波数として、各Ｘ座標における周波数を設定すればよい。
【００２５】
基準ゲイン決定部３２は、例えば、図２に示すように、軌跡取得部３１が取得した軌跡Ｔの始点から終点までの縦軸方向の平均値を、軌跡Ｔにおける基準ゲインＳとして算出する。つまり、基準ゲイン決定部３２は、軌跡検出部２１がサンプリングした各Ｙ座標の平均値を基準ゲインＳとする。
【００２６】
そして、基準ゲイン決定部３２は、算出した基準ゲインＳから、信号入力部１が入力する入力信号全体を一様に増幅又は減衰する際のゲインとなる基準ゲインＳを決定する。
【００２７】
イコライザ設定決定部３３は、基準ゲイン決定部３２が決定した基準ゲインＳを基準として、基準ゲインＳから、軌跡取得部３１が取得した軌跡Ｔまでの、縦軸方向における差分ｄから、イコライザ処理部４２の各ピーキングフィルタにおける各中心周波数のゲインを決定する。
【００２８】
なお、各中心周波数は、例えば、最大周波数から最小周波数までの範囲をオクターブ毎に分割した各帯域の中心となっている。
【００２９】
イコライザ設定決定部３３が決定するイコライザ設定の各ゲインは、例えば、軌跡の各中心周波数におけるＹ座標と、基準ゲインＳのＹ座標との差分ｄによる決定できる。例えば、軌跡検出部２１が、検出領域の縦軸方向に１８０段階の分解能を有し、Ｙ座標が１〜１８０まで設定できるとし、イコライザ設定のゲインが±９ｄＢの範囲で１ｄＢおきに段階的に設定されるとすると、Ｙ座標値の差分が１０の場合が１ｄＢに相当する。
【００３０】
同一の周波数（Ｘ座標）における、軌跡ＴのＹ座標から基準ゲインＳのＹ座標を減算した値である差分ｄが２１であった場合、対応するピーキングフィルタのゲインは、四捨五入して＋２ｄＢとなる。同様に、差分ｄが−１１の場合、ゲインは、−１ｄＢとなる。なお、必ずしもゲインに対する四捨五入等の丸めは、行わなくてもよい。
【００３１】
また、イコライザ設定決定部３３は、差分ｄからゲインを決定する際のエフェクト量を設定し、エフェクト量に応じてゲインを決定するようにしてもよい。例えば、イコライザ設定決定部３３は、エフェクト量を、小は０．０５、中は０．１、大は０．２と、段階的に設定可能とする。差分ｄが２１の場合、エフェクト量を小とすると、ゲインは、２１×０．０５＝１．０５となり、四捨五入して１ｄＢとなる。同様に、エフェクト量を中とすると、ゲインは、２１×０．１＝２．１となって、２ｄＢ、エフェクト量を大とすると、２１×０．２＝４．２となって４ｄＢとなる。エフェクト量は例えばユーザによる切り替え操作に応じて切り替える。
【００３２】
ゲイン処理部４１は、基準ゲイン決定部３２が決定した基準ゲインＳで入力信号全体を一様に増幅又は減衰させ、イコライザ処理部４２は、基準ゲイン決定部３２が増幅又は減衰した入力信号に対して、イコライザ設定決定部３３が決定するイコライザ設定でイコライザ処理を行う。つまり、イコライザ処理部４２は、イコライザ設定によって定められたゲインで、ピーキングフィルタ毎に、入力信号のそれぞれの帯域を増幅又は減衰させる。
【００３３】
なお、入力信号に対して最初にイコライザ処理を行い、その後、ゲイン処理部４１によってイコライザ処理後の入力信号全体を一様に増幅又は減衰させるようにしてもよい。
【００３４】
図２に示す例において、軌跡検出部２１が検出した軌跡Ｔから、２．５ｋＨｚにおいて、イコライザ設定が−１ｄＢ、基準ゲインが＋８ｄＢとなる。この場合、出力信号の周波数特性Ｃは、図３に示すように、軌跡Ｔと近いカーブとなり、図５に示すように大きく脈動することがない。
【００３５】
所定の周波数帯域毎にゲインを調整する従来のイコライザ装置の場合、図４に示すように、ユーザがなぞった軌跡Ｔに対して、各バーＦで示すようなゲインで、各ピーキングフィルタのゲインを設定する。図４に示す例では、軌跡Ｔは、２．５ｋＨｚのみ＋７ｄＢ、他については＋８ｄＢとなるゲイン設定になっている。図５に示すように、このように設定された各ゲインは、それぞれ周波数特性Ｇを有し、入力信号に各ゲインを反映させると、出力信号の周波数特性Ｃは、各ゲインが周波数帯域間において相互に干渉してブーストし、軌跡Ｔと大きく異なるものとなってしまう。
【００３６】
これに対して、本発明の実施形態に係るイコライザ装置によれば、軌跡Ｔの縦軸方向の値について基準ゲインＳを算出し、その基準ゲインＳに基づいてイコライザ設定を決定するので、簡単に、適正な周波数特性を設定、反映できる。これにより、ユーザが意図したイコライザ処理とすることができる。
【００３７】
（その他の実施形態）
上記のように、本発明の実施形態を記載したが、この開示の一部をなす論述及び図面は本発明を限定するものであると理解すべきではない。この開示から当業者には様々な代替実施形態、実施例及び運用技術が明らかとなろう。
【００３８】
例えば、既に述べた実施形態においては、軌跡取得部３１は、軌跡検出部２１が不連続な軌跡を検出した場合において、軌跡検出部２１が検出した不連続な軌跡に基づいて、連続的な軌跡を算出し、算出した連続的な軌跡を、軌跡検出部２１が検出した軌跡として取得するようにしてもよい。軌跡取得部３１は、例えば、最小二乗法や、ラグランジュ補間、スプライン補間等の補間法を用いて連続的な軌跡を算出することができる。
【００３９】
また、既に述べた実施形態においては、イコライザ装置は、ピーキングフィルタ以外によるイコライザ処理にも適用することもできる。
【００４０】
このように、本発明はここでは記載していない様々な実施形態等を含むことは勿論である。したがって、本発明の技術的範囲は上記の説明から妥当な特許請求の範囲に係る発明特定事項によってのみ定められるものである。
【符号の説明】
【００４１】
１  信号入力部
２  ユーザインタフェース部
３  制御部
４  信号処理部
５  ＤＡコンバータ部
６  アンプ部
７  出力部
２１  軌跡検出部
２２  表示部
３１  軌跡取得部
３２  基準ゲイン決定部
３３  イコライザ設定決定部
３４  表示処理部
４１  ゲイン処理部
４２  イコライザ処理部
【図１】
2014057220.tif 000003
【図２】
2014057220.tif 000004
【図３】
2014057220.tif 000005
【図４】
2014057220.tif 000006
【図５】
2014057220.tif 000007